(57)【要約】【課題】内装材に係止部材を強固に固定する。【解決手段】自動車内装材固定用係止部材１０は、自動車の内装材とパネルとの間に介在し、内装材をパネルに固定する。係止部材１０は、パネルに取付けられた連結部材と係止可能な係止部２０と、内装材に面し、接着剤によって内装材と接着可能な裏面１２と、を備えた主部１１と、主部１１と一体に形成されたフランジ部であって、パネルに面する第１の面１３と、内装材に面し、接着剤によって内装材と接着可能な第２の面１４と、を有するフランジ部２１（２１’）と、を有し、フランジ部２１は、第１の面１３と第２の面１４との間でフランジ部を貫通する貫通孔２７を有し、貫通孔２７はフランジ部２１の面内方向に貫通孔を横断する架橋部２８を備えている。【選択図】図３
2010163033.tif 000002
【特許請求の範囲】
【請求項１】
自動車の内装材とパネルとの間に介在し、前記内装材を前記パネルに固定するために該内装材に接着固定される自動車内装材固定用係止部材であって、
前記パネルに取付けられた連結部材と係止可能な係止部と、前記内装材に面し、接着剤によって前記内装材と接着可能な裏面と、を備えた主部と、
前記主部と一体に形成されたフランジ部であって、前記パネルに面する第１の面と、前記内装材に面し、接着剤によって前記内装材と接着可能な第２の面と、を有するフランジ部と、
を有し、
前記フランジ部は、前記第１の面と前記第２の面との間で該フランジ部を貫通する貫通孔を有し、該貫通孔は前記フランジ部の面内方向に該貫通孔を横断する架橋部を備えている、自動車内装材固定用係止部材。
【請求項２】
前記架橋部は、前記内装材に面する底面が前記フランジ部の前記第２の面と略面一であり、かつ板厚が前記フランジ部の板厚よりも小さい、請求項１に記載の自動車内装材固定用係止部材。
【請求項３】
前記架橋部の板厚は前記フランジ部の板厚の２０〜７０％の範囲にある、請求項２に記載の自動車内装材固定用係止部材。
【請求項４】
前記貫通孔は、前記第２の面から前記第１の面の手前まで一定断面で延びる断面一定部と、前記断面一定部に接続され、該第１の面に向かって断面積が増大しながら前記第１の面まで延びるテーパー部と、を有する、請求項１から３のいずれか１項に記載の自動車内装材固定用係止部材。
【請求項５】
前記架橋部の前記パネルに面する上面は、前記断面一定部と前記テーパー部との接続部と同一高さに位置している、請求項４に記載の自動車内装材固定用係止部材。
【請求項６】
前記架橋部の前記上面には、前記フランジ部の板厚方向の高さが変化する凹凸部が設けられている、請求項１から５のいずれか１項に記載の自動車内装材固定用係止部材。
【請求項７】
前記架橋部の側面は、前記フランジ部の板厚方向と平行に延びている、請求項１から６に記載の自動車内装材固定用係止部材。
【請求項８】
前記貫通孔の側面または前記架橋部の側面には前記フランジ部の板厚方向に延びる溝部が形成されている、請求項１から７のいずれか１項に記載の自動車内装材固定用係止部材。
【請求項９】
前記架橋部は２つ設けられ、前記貫通孔内で互いに交差している、請求項１から８のいずれか１項に記載の自動車内装材固定用係止部材。
【請求項１０】
前記貫通孔は矩形断面を有している、請求項１から９のいずれか１項に記載の自動車内装材固定用係止部材。
【発明の詳細な説明】
【技術分野】
【０００１】
本発明は、自動車の内装材をパネル等の相手部材に係止固定するために内装材に接着固定される自動車内装材固定用係止部材に関する。
【背景技術】
【０００２】
自動車の車室側に配設される内装材としては、天丼パネルを被覆するルーフライニングやフロアパネルを被覆するフロアカーペット、ラゲージパネルを被覆するラゲージトリム等、樹脂材料の成形物あるいは繊維基材をプレス成形したものが知られている。これら内装材の取付固定方法には各種方法があるが、内装材の裏面、すなわちパネル側の面に、パネルに設けられた連結部材に係止可能な係止部材を設けることが好適に行なわれている。係止部材は、内装材の裏面または係止部材の接着面に、ホットメルトなどの接着材を塗布することによって接着固定される。この時、内装材への荷重負荷によって係止部材が剥離しないことが技術課題の一つとなっている。
【０００３】
このことは、ルーフライニング裏面に取付けられた係止部材において、特に大きな課題となる。すなわち、ルーフパネルとルーフライニングとの間には、ルーフライニングの側縁に沿うようにカーテンエアバッグが配設されることがある。カーテンエアバッグの展開時には、ルーフパネル側に配設されている係止部材が受け部材から脱離して、ルーフライニングの側縁が車室内側にまくれることにより、カーテンエアバッグが車室内へと展開する。この際、係止部材には脱離する方向に大きな荷重がかかるため、係止部材がルーフライニングから剥離することがある。係止部材がルーフライニングから剥離すると、係止部材が飛散して乗員に危害を与えるおそれがある。このため、係止部材とルーフライニングとの接着強度を十分に確保する必要がある。
【０００４】
特許文献１には、係止部材の接着強度を高める技術として、車体パネル側の係合片を差込み係止することができるクリップ(係止部材)に、接着面から表面側に向かって広がり拡開するテーパー状の抜き穴を設ける技術が開示されている。接着材がテーパー状の抜き穴に充填され、アンカー効果によって、クリップ(係止部材)は内装材に強固に接着固定される。
【先行技術文献】
【特許文献】
【０００５】
【特許文献１】特開平９-１８３３４６号公報
【発明の概要】
【発明が解決しようとする課題】
【０００６】
しかしながら、特許文献１に記載の係止部材においても、依然として剥離を防止するために十分な接着強度は得られない。係止部材に形成された抜き穴(貫通孔)はテーパー状に形成されているため、接着面側の穴の開口面積は小さく、接着材が抜き穴の中に十分に充填されにくい。このため、接着材のテーパーヘの掛かりが減少し、接着力のばらつきが増加するため、十分な接着強度が保証されない。この対策として、接着面側の開口面積を大きくすると、アンカー効果が減少するとともに、係止部材の内装材との接着面積が減少するため、結果として接着強度が低下する。
【０００７】
本発明は、自動車の内装材とパネルとの間に介在し、内装材に対して、強固に接着固定されることが可能な自動車内装材固定用係止部材を提供することを目的とする。
【課題を解決するための手段】
【０００８】
本発明の一実施態様によれば、自動車の内装材とパネルとの間に介在し、内装材をパネルに固定するために内装材に接着固定される自動車内装材固定用係止部材が提供される。係止部材は、パネルに取付けられた連結部材と係止可能な係止部と、内装材に面し、接着剤によって内装材と接着可能な裏面と、を備えた主部と、主部と一体に形成されたフランジ部であって、パネルに面する第１の面と、内装材に面し、接着剤によって内装材と接着可能な第２の面と、を有するフランジ部と、を有している。フランジ部は、第１の面と第２の面との間でフランジ部を貫通する貫通孔を有し、貫通孔はフランジ部の面内方向に貫通孔を横断する架橋部を備えている。
【０００９】
貫通孔に橋渡し状に貫通孔を横断する架橋部が設けられているため、接着剤が架橋部を包み込むことによってアンカー効果が向上しやすくなり、従来技術では得られなかった強固な接着強度が得られる。
【００１０】
架橋部は、内装材に面する底面がフランジ部の第２の面と略面一であり、かつ板厚がフランジ部の板厚よりも小さいことが望ましい。このような構成では、内装材に接着剤を塗布した後、係止部材を押し当てた際に、接着剤が容易に架橋部を包み込むことができる。このため、接着剤の貫通孔への押出量が少ない場合でも接着力のばらつきが低減され、接着不良の発生を可及的に低減することが可能となる。
【００１１】
架橋部の板厚はフランジ部の板厚の２０〜７０％の範囲にあることが望ましい。架橋部の板厚をこのように設定することによって、架橋部の強度を確保しつつ、接着剤が確実に架橋部を包み込むことが容易となる。
【００１２】
貫通孔は、第２の面から第１の面の手前まで一定断面で延びる断面一定部と、断面一定部に接続され、第１の面に向かって断面積が増大しながら第１の面まで延びるテーパー部と、を有することが好ましい。貫通孔の断面一定部によって貫通孔内への接着剤の充填性が確保されるとともに、貫通孔内に接着剤が十分に充填された場合には、架橋部だけでなく、テーパー部の斜面にも接着剤が掛かることになるため、係止部材の接着強度がよりー層高められる。
【００１３】
架橋部のパネルに面する上面は、断面一定部とテーパー部との接続部と同一高さに位置していることが望ましい。接着剤がより確実に架橋部を包み込むと同時に、接着剤がテーパー部にも到達するため、係止部材の接着強度が高められる。
【００１４】
架橋部の上面には、フランジ部の板厚方向の高さが変化する凹凸部が設けられていることが望ましい。架橋部の上面に形成された凹凸部の凹部に接着剤が充填されて、架橋部によるアンカー効果が高められ、係止部材の接着強度がさらに高められる。
【００１５】
架橋部の側面は、フランジ部の板厚方向と平行に延びていることが好ましい。架橋部が接着剤の貫通孔への充填を阻害しにくくなり、接着剤が架橋部の上面まで確実に到達することができる。
【００１６】
貫通孔の側面または架橋部の側面にはフランジ部の板厚方向に延びる溝部が形成されていることが望ましい。接着剤が溝部へと充填され、溝部に充填された接着剤によるアンカー効果がプラスされるため、係止部材の接着強度がさらに高められる。
【００１７】
架橋部は２つ設けられ、貫通孔内で互いに交差していてもよい。架橋部による接着剤とのアンカー効果が増加するため、接着力が向上する。
【００１８】
貫通孔は矩形断面を有していてもよい。矩形断面の貫通孔とすることにより、丸孔の貫通孔と比べて接着剤の充填性が良好となる。
【発明の効果】
【００１９】
以上説明したように、本発明によれば、自動車内装材に対して、強固に接着固定されることが可能な自動車内装材固定用係止部材を提供することが可能となる。
【図面の簡単な説明】
【００２０】
【図１】本発明による係止部材をルーフライニングに適用した実施形態を示す斜視図である。
【図２】本発明による係止部材をルーフパネルに取付けた状態を示す断面図である。
【図３】本発明による係止部材の拡大斜視図である。
【図４】本発明による係止部材のフランジ部の拡大上面図である。
【図５】本発明による係止部材をルーフライニングに接着した状態を示す断面図である。
【図６】本発明の第二の実施形態における係止部材のフランジ部の拡大上面図である。
【図７】本発明の第三の実施形態における係止部材のフランジ部の拡大上面図である。
【図８】本発明の第四の実施形態における係止部材のフランジ部の拡大上面図である。
【図９】本発明の第五の実施形態における係止部材のフランジ部の拡大斜視図である。
【発明を実施するための形態】
【００２１】
以下、図面を参照して、本発明を実施するための形態について説明する。
【００２２】
図１（ａ）は、本発明による係止部材１０を適用したルーフライニング１を裏面側、すなわちルーフパネルに面する側から見た斜視図、図１（ｂ）は、ルーフライニングの裏面に貼着された係止部材の一つを拡大して示した、図１（ａ）のＡ部の斜視図である。係止部材１０は、ルーフライニング１の裏面において、自動車の前後方向の両側縁に沿って、各６個ずつ間隔をあけて配設されている。
【００２３】
係止部材１０をルーフパネル側に配設された金属クリップ４（図１（ｂ）参照）に差込み、固定することによって、ルーフライニング１の端末が固定保持される。
【００２４】
図２は、係止部材１０をルーフパネルに取付けた状態を示す断面図である。図中左側が車体の外側、右側が車体の中央側である。係止部材１０は、ルーフライニング１の裏面、すなわち基材ｌａの表面に接着固定されている。ルーフパネルは、車両のドア開口部の上縁を構成するインナーパネル５，６や、アウターパネル７などから構成されている。インナーパネル５，６とアウターパネル７のフランジ部との合わせ部に、連結部材である金属クリップ４の断面Ｕ字状の本体部４ａが嵌合している。ルーフライニング１は、金属クリップ４に係止されることにより、ルーフパネルに取付け固定されている。
【００２５】
金属クリップ４の本体部４ａには、切り起こして形成された弾性片４ｂが形成されている。弾性片４ｂがインナーパネル５に弾接することによって、金属クリップ４の本体部４ａがインナーパネル５に強固に取付けられる。金属クリップ４の本体部４ａの車室内側の端縁からは、二又に分岐した係合脚４ｃ，４ｃ’が延長形成されており、これら係合脚４ｃ，４ｃ’の間に、係止部材１０の係止部２０を差込むことにより、係止部材１０が金属クリップ４に嵌合固定される。
【００２６】
インナーパネル５，６及びアウターパネル７の合わせ部と、金属クリップ４の本体部４ａは、弾性材料からなるオープニングトリム８で被覆されている。オープニングトリム８は、ＥＰＤＭ(Etylene Propylene Diene Methylene)、ＰＶＣ(polyvinyl chloride)、ＴＰＯ(Thermo Plastic Olefin)などの弾牲材料から押出成形などによって形成される。オープニングトリム８はドア開口に取付けられ、車体パネルのフランジ部を被覆するとともに、ドア開閉時の緩衝機能を担っている。
【００２７】
(ルーフライニング)
ルーフライニング１は、熱可塑性基材または熱硬化性基材をプレス成形することによって、ルーフパネルの形状に沿った形状に成形される。基材ｌａの車室側は、不織布やニット、不織布またはニットの少なくともいずれかとウレタンフォームとの積層体などからなる表皮ｌｂによって被覆され、内装材として好適な見栄えや手触り感が付与されている。
図１に示すように、ルーフライニング１には、収納ボックスやマップランプなどが一体化されたコンソールをルーフパネルに取付けるための開口２や、ルームランプ取付け用の開口３が形成されている。その他にも、アシストグリップやサンバイザ等の構成部品をルーフパネルに取付けるための開口(図示せず）、及びこれら構成部品を収容する凹形状部(図示せず）が形成されている。これらの構成部品は、ルーフライニング１に予めモジュールされた状態で、ルーフパネルに取付けられる。この際、ルーフライニング１は、構成部品とルーフパネルとの間で挟持固定されることによって、ルーフパネルに沿った取付け位置に固定保持される。
【００２８】
(係止部材)
図３に、本発明による係止部材１０を斜視図で示す。係止部材１０は、ルーフライニング１の車体パネルに面する側、すなわち基材１ａの表面に接着剤を介して接着固定されている。
【００２９】
係止部材１０は、パネルに取付けられた金属クリップ４（連結部材）と係止可能な係止部２０と、ルーフライニング１（内装材）に面し、接着剤によってルーフライニング１と接着可能な裏面１２と、を備えた主部１１を有している。主部１１の両脇には主部１１と一体に形成された一対のフランジ部２１，２１’が設けられている。フランジ部２１は、パネルに面する第１の面１３と、ルーフライニング１（内装材）に面し、接着剤によってルーフライニング１と接着可能な第２の面１４と、を有している。フランジ部２１’も、同様の構成の第１の面１３’と、第２の面１４’と、を有している。
【００３０】
係止部材１０は、ポリプロピレンなどの熱可塑性樹脂を射出成形することによって形成されているが、これに限られるものではなく、ポリエチレンやポリカーボネート、ポリアミドなどの熱可塑性樹脂、または、ステンレスやアルミニウムなどの金属などでも代替可能である。係止部材１０の外形寸法は、一例では長手方向の長さが７０ｍｍ、幅方向長さが１６ｍｍ、高さが１４ｍｍ、板厚は２ｍｍである。
【００３１】
係止部２０とフランジ部２１，２１’との間には規制リブ２６，２６’が形成されている。規制リブ２６，２６’によって、係止部２０に係合した金属クリップ４の移動が規制される。このため、金属クリップ４と係止部材１０の相対的な位置ずれによって、金属クリップ４と係止部材１０の係合が解除されたり、係合力が低下したりして、ルーフライニング１が部分的に垂れ下がるような不具合の発生が防止される。
【００３２】
係止部材１０の係止部２０は、図２及び図３に示すように、係止部材１０の一般面２３から突出形成されている。係止部２０の端部には、頭部２２が形成されている。係止部２０の根本、すなわち、係止部２０の一般面２３との結合部近くはテーパー状に形成されており、係止部２０の強度が確保されている。係止部２０の側面及び規制リブ２６，２６’には適宜補強リブ２５が設定されており、係止部２０が補強されている。
【００３３】
係止部２０の頭部２２は、第一の凸部２２ａと第二の凸部２２ｂとからなり、互いに反対側の方向に突出形成されている。係止部２０の上下方向(係止部の突出方向)において、第一の凸部２２ａは、第二の凸部２２ｂよりも高い位置に設けられている。金属クリップ４の係止脚４ｃ，４ｃ’は、これら第一の凸部２２ａ及び第二の凸部２２ｂの形状に対応した形状に形成されている。第一の凸部２２ａと第二の凸部２２ｂとが互いに異なる高さに形成されているため、係止部材１０は、金属クリップ４に容易に挿入、係合固定することが可能となる。
【００３４】
第二の凸部２２ｂの突出量は、第一の凸部２２ａの突出量よりも大きくなるように設計されている。係止部材１０を金属クリップ４に係合させるときは、まず、突出量の小さい第一の凸部２２ａを係止脚４ｃに係止させ、その後、突出量の大きい第二の凸部２２ｂを係止脚４ｃ’に係止させる。これによって、必要とされる押し込み力が低減されると同時に、金属クリップ４と係止部材１０との係合に必要な係合力が維持される。
【００３５】
図２に示すように、係止部材１０は、第二の凸部２２ｂが車体の外側を向くようにルーフライニング１に接着固定される。これにより、ルーフライニング１の端末のまくり方向に受けた力に対して係止部材１０が効果的に対抗することができるため、金属クリップ４と係止部材１０との係合が予期しない外力によって解除されることが防止される。
【００３６】
係止部材１０の主部１１においては、係止部２０が形成されている側とは反対側の面１２が接着面となるが、フランジ部２１，２１’は、この主部１１を延長して接着面を拡大し、係止部材１０の接着力を高めるために設けられている。
【００３７】
図４は、係止部材１０のフランジ部２１の拡大上面図であり、図５は、係止部材１０をルーフライニング１の基材ｌａに接着した状態を示すフランジ部の拡大断面図である。以下、フランジ部２１について説明するが、フランジ部２１’にも全く同様の説明があてはまる。
【００３８】
フランジ部２１は、第１の面１３と第２の面１４との間でフランジ部２１を貫通する貫通孔２７を有し、貫通孔２７はフランジ部２１の面内方向に貫通孔を横断する架橋部２８を備えている。架橋部２８は、貫通孔２７の開孔縁の一縁から対向する他縁まで橋渡し状に延びるように形成されている。
【００３９】
係止部材１０をルーフライニング１に接着固定するときは、ルーフライニング１の基材ｌａの接着位置に接着剤２９を塗布し、その後、接着剤２９に係止部材１０を押し当てる。これによって、主部１１の裏面１２及びフランジ部２１の第２の面１４が、接着剤２９を介して基材ｌａに接着される。フランジ部２１には、フランジ部２１の板厚方向に貫通する貫通孔２７が形成されているため、接着剤２９は、貫通孔２７の内部に充填される。これによって、アンカー効果が付加され、接着力が高められる。特に本実施形態においては貫通孔２７に架橋部２８が設けられているため、貫通孔２７内に充填された接着剤２９が架橋部２８の上面２８ｂまで到達し、架橋部２７を接着剤２９が包み込んだ状態で接着される。この結果、架橋部２７によるアンカー効果が付加されて係止部材１０はより強固に接着固定される。
【００４０】
架橋部２８は、内装材（ルーフライニング１）に面する底面２８ａがフランジ部の第２の面１４と略面一となるように設計されている。これによって、接着剤２９の樹脂量は接着剤２９を架橋部２８の上面２８ｂまで到達させるための必要最小限の量で済むため、接着剤２９の塗布量のばらつきにより、接着剤２９が不足して、架橋部２８の上面２８ｂまで到達しないといった不具合の発生を可及的に防止できる。
【００４１】
架橋部２８の板厚ｔは、フランジ部２１の板厚Ｔよりも小さくなるように形成されている。この構成によって、より確実に接着剤２９が架橋部２８の上面２８ｂへ到達することができる。架橋部２８の板厚ｔは、フランジ部２１の板厚Ｔの２０〜７０％の範囲に含まれるように形成されることが好ましく、４０〜５０％の範囲に含まれることがより好ましい。上記下限値以上であれば、架橋部２８の強度が確保されて、架橋部２８の割れや変形が防止でき、上記上限値以下であれば、架橋部２８の上面２８ｂまで接着剤２９が到達し易くなる。
【００４２】
貫通孔２７は、第２の面１４から第１の面１３の手前のフランジ部２１の板厚方向における途中高さの位置ｈまで一定断面で延びる断面一定部３１と、断面一定部３１に接続され、第１の面１３に向かって断面積が増大しながら第１の面１３まで延びるテーパー部３０と、から構成されている。この結果、テーパー部３０には傾斜部２１ａが形成される。このような形状とすることによって、傾斜部２１ａに接着剤２９が掛かることによるアンカー効果が付加され、係止部材１０の接着力がさらに高められる。断面一定部３１を設けたことで、接着剤２９がテーパー部３０へ到達するための接着剤２９の余分な樹脂量が不要となるため、より確実に接着剤２９がテーパー部３０及び架橋部２８の上面２８ｂに到達するようになる。
【００４３】
架橋部２８の上面２８ｂは、テーパー部３０の下縁から連続して形成されている。すなわち、架橋部２８のパネルに面する上面２８ｂは、断面一定部３１とテーパー部３０との接続部と同一高さｈに位置している。このような形状とすることによって、架橋部２８の上面２８ｂ及びテーパー部３０まで、確実に接着剤２９が到達するようになり、架橋部２８とテーパー部３０とによるアンカー効果が組み合わされて、接着力がさらに高められる。
【００４４】
架橋部２８の側面２８ｃは、フランジ部２１の板厚方向に対して傾斜しないように形成されている。すなわち、架橋部２８の側面２８ｃは、フランジ部２１の板厚方向と平行に延びている。このような形状とすることによって、接着剤２９はより確実に架橋部２８の上面２８ｂまで到達する。
【００４５】
貫通孔２７の孔径ｒは４ｍｍ、架橋部の幅はｌｍｍである。貫通孔２７に対する架橋部２８の占有率(第２の面１４側から見た投影面積)は、２０〜５０％の範囲であることが好ましく、２５〜４０％の範囲であることがより好ましい。上記下限値以上であれば、架橋部２８の強度が確保され、上記上限値以下であれば、接着剤２９の貫通孔２７内への充填が阻害されることなく、容易に架橋部２８の上面２８ｂまで到達する。
【００４６】
本実施形態においては、接着剤２９として、ダイアボンド社製のホットメルトＯ２０７を使用している。ホットメルトを加熱溶融した状態で、接着剤２９をルーフライニング１の基材ｌａの係止部材１０の設定位置に塗布した後、係止部材１０を押し当てて係止部材１０を接着する。ホットメルトが固化することによって、係止部材１０はルーフライニング１に固定される。
【００４７】
(不織布の貼着)
本発明による係止部材１０をルーフライニング１に接着固定した状態で、さらに、係止部材１０を包むように、不織布をルーフライニング１の基材ｌａに貼着してもよい。具体的には、係止部材１０の係止部２０に対応する切欠を設けた平物の不織布を用意し、この切欠を係止部２０に挿通させて、不織布が係止部材１０のフランジ部２１を覆った状態で、不織布の外周の少なくとも一部を接着剤で接着固定する。このような構成とすることによって、万が一係止部材１０がルーフライニング１から剥離した場合であっても、不織布によって、係止部材１０が飛散することが防止できる。
【００４８】
(第二の実施形態)
図６は、本発明による係止部材の第二の実施形態におけるフランジ部２１を拡大して示す上面図である。本実施形態では、貫通孔２７の一縁から対向する他縁まで橋渡し状に形成された架橋部２８が、十字状に交差するように２本形成されている。すなわち、架橋部は２つ設けられ、貫通孔２７内で互いに交差している。架橋部を増やすことによって、架橋部２８による接着剤とのアンカー効果が増加するため、接着力が向上する。
【００４９】
本実施形態において、架橋部２８は、上面視で十字状となるように形成されているが、これに限られるものではなく、上面視でＹ字状、Ｔ字状など任意の形状で代替できる。
【００５０】
(第三の実施形態)
図７は、本発明による係止部材の第三の実施形態におけるフランジ部２１を拡大して示す上面図である。本実施形態においては、貫通孔２７が略矩形状となるように形成されている。貫通孔２７が上面視で矩形状とされているため、丸孔の貫通口と比べて接着剤の充填性が良好となる。
【００５１】
(第四の実施形態)
図８は、本発明による係止部材の第四の実施形態におけるフランジ部２１部分を拡大して示した上面図である。本実施形態では、貫通孔２７の側面に、上面視でＶ字状の、フランジ部の板厚方向に延びる複数の溝部３３が断続的に形成されている。溝部３３を形成することによって、溝部３３内にも接着剤が充填されるため、アンカー効果が更に高められる。
【００５２】
本実施形態における溝部３３は、断面Ｖ字状に形成されているが、これに限られることはなく、断面Ｕ字状、矩形状など任意の形状とすることができる。本実施形態における溝部３３は断続的に配置されているが、溝部３３を間隔をあけて配置してもよい。
【００５３】
溝部３２は貫通孔２７の側面に形成されているが、架橋部２８の側面に形成してもよいし、貫通孔２７の側面と、架橋部２８の側面との両方に形成してもよい。
【００５４】
(第五の実施形態)
図９は、本発明による係止部材の第五の実施形態におけるフランジ部２１部分を拡大して示す斜視図である。本実施形態では、架橋部の上面には、フランジ部の板厚方向の高さが変化する凹凸部が設けられている。すなわち、架橋部２８の上面２８ｂに複数の溝部（凹部）３４が形成されている。溝部３４は架橋部２８の上面２８ｂから、架橋部２８の板厚方向の途中高さまで形成された断面凹形状で、架橋部２８を横断し、間隔をおいて配列されている。溝部３４を形成することによって、溝部３４内へ接着剤が充填されるため、接着剤と架橋部とのアンカー効果がさらに高められる。
【００５５】
本実施形態では溝部３４は断面凹形状であるが、これに限らず、断面Ｕ字状、Ｖ字状など任意の形状を適用できる。
【実施例】
【００５６】
(試験方法)
係止部材の実施例として、上記第一の実施形態と同じものを用意し、比較例として、架橋部を有さない以外は実施例と同一の形状の係止部材を用意した。
【００５７】
これらの実施例と比較例の係止部材を、ルーフライニングに相当する板状基材に接着剤によって接着固定した。次に、板状基材を固定した状態で、引張試験機によって、係止部材を面直方向に５０ｍｍ/ｍｉｎの速度で引張り、最大荷重を測定した。測定は、常温(２３℃)の他に、高温時を想定し、温度８０℃でも行った。
【００５８】
(試験結果、評価)
試験結果を表１に示す。常温時、高温時ともに、比較例に対して、実施例の最大荷重が増加し、剥離強度が向上した結果が得られ、本発明による係止部材の有意な効果が確認された。
【００５９】
【表１】
2010163033.tif 000003
【符号の説明】
【００６０】
１  ルーフライニング
ｌａ  基材
４  金属クリップ
１０  係止部材
１１  主部
１２  裏面
１３，１３’  第１の面
１４，１４’  第２の面
２０  係止部
２１，２１’  フランジ部
２２  頭部
２２ａ  第一の凸部
２２ｂ  第二の凸部
２７  貫通孔
２８  架橋部
２９  接着剤
３０  テーパー部
３１  断面一定部
３３，３４  溝部
【図１】
2010163033.tif 000004
【図２】
2010163033.tif 000005
【図３】
2010163033.tif 000006
【図４】
2010163033.tif 000007
【図５】
2010163033.tif 000008
【図６】
2010163033.tif 000009
【図７】
2010163033.tif 000010
【図８】
2010163033.tif 000011
【図９】
2010163033.tif 000012